(57)【要約】【課題】燃料処理装置の温度が低下している途中に、燃料処理装置の漏洩を判定することである。【解決手段】燃料電池発電システムは、燃料処理装置１１に原燃料ガスを供給する原燃料ガス供給配管１５と、燃料処理装置１１より下流側を閉塞させる出口閉塞部１９と、燃料処理装置１１内の圧力を検出する圧力検出器１７と、燃料処理装置１１の温度を検出する温度検出器１８と、出口閉塞部１９が閉塞しているときに、圧力検出器１７の出力が所定の領域内に入るように燃料処理装置１１に供給される原燃料ガスの流れを制御する供給ガス流れ制御部２１と、所定時間内に燃料処理装置１１に供給される原燃料ガスの量および温度検出器１８の出力に基づいて、燃料処理装置１１の漏洩を判定する漏洩判定部２２と、を備える。【選択図】図１
2012119201.tif 000002
【特許請求の範囲】
【請求項１】
原燃料ガスを取り入れて水素の含有率を高めた改質燃料ガスを発生させる改質器を含む燃料処理装置と、
前記改質燃料ガスおよび酸化剤ガスを取り入れてそれらの電気化学反応により電気エネルギを発生させる燃料電池本体と、
前記燃料処理装置に前記原燃料ガスを供給する原燃料ガス供給配管と、
前記燃料処理装置より下流側を閉塞する出口閉塞部と、
前記燃料処理装置内の圧力を検出する圧力検出器と、
前記燃料処理装置の温度を検出する温度検出器と、
前記出口閉塞部が閉塞しているときに、前記圧力検出器の出力が所定の領域内に入るように前記燃料処理装置に供給される前記原燃料ガスの流れを制御する供給ガス流れ制御部と、
所定時間内に前記燃料処理装置に供給される前記原燃料ガスの量および前記温度検出器の出力に基づいて、前記燃料処理装置の漏洩を判定する漏洩判定部と、
を備えることを特徴とする燃料電池発電システム。
【請求項２】
前記漏洩判定部は、前記温度検出器の出力から得られた前記燃料処理装置の温度の下降速度に基づいて、前記燃料処理装置の漏洩を判定すること、を特徴とする請求項１に記載の燃料電池発電システム。
【請求項３】
前記漏洩判定部は、前記温度検出器の出力から得られた前記燃料処理装置の温度と外気の温度との差に基づいて、前記燃料処理装置の漏洩を判定すること、を特徴とする請求項１に記載の燃料電池発電システム。
【請求項４】
前記原燃料ガス供給配管に設けられた原燃料ガス供給遮断弁をさらに備え、
前記供給ガス流れ制御部は、前記出口閉塞部が閉塞しているときに、前記圧力検出器の出力から得られた前記燃料処理装置内の圧力が所定の第１の値よりも高くなったときに前記原燃料ガス供給遮断弁を閉じ、前記圧力検出器の出力から得られた前記燃料処理装置内の圧力が前記所定の第１の値よりも低く大気圧よりも高い所定の第２の値よりも低くなったときに前記原燃料ガス供給遮断弁を開き、
前記所定時間内に前記燃料処理装置に供給される前記原燃料ガスの量は、前記原燃料ガス供給遮断弁の開閉頻度に基づくこと、
を特徴とする請求項１ないし請求項３のいずれか１項に記載の燃料電池発電システム。
【請求項５】
前記原燃料ガス供給配管に設けられて開度の調節が可能な原燃料ガス供給流量調節弁をさらに備え、
前記供給ガス流れ制御部は、前記出口閉塞部が閉塞しているときに、前記圧力検出器の出力が所定の領域内に入るように前記原燃料ガス供給流量調節弁の開度を調節し、
前記所定時間内に前記燃料処理装置に供給される前記原燃料ガスの量は、前記原燃料ガス供給流量調節弁の開度に基づくこと、
を特徴とする請求項１ないし請求項３のいずれか１項に記載の燃料電池発電システム。
【請求項６】
前記原燃料ガス供給配管に設けられて開度の調節が可能な原燃料ガス供給流量調節弁と、
前記燃料処理装置に供給される前記原燃料ガスの流量を検出する流量検出器と、
をさらに備え、
前記供給ガス流れ制御部は、前記出口閉塞部が閉塞しているときに、前記圧力検出器の出力が所定の領域内に入るように前記原燃料ガス供給流量調節弁の開度を調節し、
前記所定時間内に前記燃料処理装置に供給される前記原燃料ガスの量は、前記流量検出器の出力に基づくこと、
を特徴とする請求項１ないし請求項３のいずれか１項に記載の燃料電池発電システム。
【請求項７】
前記原燃料ガス供給配管に設けられて前記原燃料ガスを送る送風機をさらに備え、
前記供給ガス流れ制御部は、前記出口閉塞部が閉塞しているときに、前記圧力検出器の出力が所定の領域内に入るように前記送風機の回転数を調節し、
前記所定時間内に前記燃料処理装置に供給される前記原燃料ガスの量は、前記送風機の回転数に基づくこと、
を特徴とする請求項１ないし請求項３のいずれか１項に記載の燃料電池発電システム。
【請求項８】
前記原燃料ガス供給配管に設けられて前記原燃料ガスを送る送風機と、
前記燃料処理装置に供給される前記原燃料ガスの流量を検出する流量検出器と、
をさらに備え、
前記供給ガス流れ制御部は、前記出口閉塞部が閉塞しているときに、前記圧力検出器の出力が所定の領域内に入るように前記送風機の回転数を調節し、
前記所定時間内に前記燃料処理装置に供給される前記原燃料ガスの量は、前記流量検出器の出力に基づくこと、
を特徴とする請求項１ないし請求項３のいずれか１項に記載の燃料電池発電システム。
【請求項９】
原燃料ガスを取り入れて水素の含有率を高めた改質燃料ガスを発生させる改質器を含む燃料処理装置と、
前記改質燃料ガスおよび酸化剤ガスを取り入れてそれらの電気化学反応により電気エネルギを発生させる燃料電池本体と、
を有する燃料電池発電システムの漏洩検出方法であって、
前記燃料処理装置より下流側を閉塞させる出口閉塞ステップと、
前記出口閉塞ステップの後に、前記燃料処理装置内の圧力が所定の領域内に入るように前記燃料処理装置に供給される前記原燃料ガスの流れを制御する供給ガス流れ制御ステップと、
前記供給ガス流れ制御ステップを継続しているときに、所定時間内に前記燃料処理装置に供給される前記原燃料ガスの量および前記燃料処理装置の温度に基づいて、前記燃料処理装置の漏洩を判定する漏洩判定ステップと、
を備えることを特徴とする燃料電池発電システムの漏洩検出方法。
【発明の詳細な説明】
【技術分野】
【０００１】
本発明は、燃料処理装置を備えた燃料電池発電システムおよびその漏洩検出方法に関する。
【背景技術】
【０００２】
従来の燃料電池発電システムは、原燃料ガスを取り入れて水素含有率を高めた改質燃料ガスを発生させる改質器を含む燃料処理装置と、改質燃料ガスおよび酸化剤ガスを取り入れて電気化学反応により電気エネルギを発生させる燃料電池本体とを備える。さらに、燃料処理装置内を密閉させる閉止弁と、保圧用ガスを収容する保圧用ガス供給源と、保圧用ガス供給源からの保圧用ガスを燃料処理装置へ供給する保圧用ガス供給路と、保圧用ガス供給路に設けられ保圧用ガスを供給および遮断させる開閉弁とを備えるものが知られている（特許文献１参照）。
【先行技術文献】
【特許文献】
【０００３】
【特許文献１】特開２００７―２６５６６９号公報
【特許文献２】特開２００６−５９７３４号公報
【発明の概要】
【発明が解決しようとする課題】
【０００４】
燃料電池本体が発電しているとき、燃料処理装置の温度は数百℃になっている。一方、燃料電池本体が発電を停止した後には、放熱によって燃料処理装置の温度が次第に低下する。そのとき、燃料処理装置を密閉したとしても、燃料処理装置内の圧力が外気の圧力より低くなって燃料処理装置内へ水等が侵入するおそれがある。それを防ぐため、原燃料ガスや窒素等の不活性ガスを燃料処理装置に供給することにより、燃料処理装置内の圧力を外気の圧力より高くしている。
【０００５】
ところで、燃料電池本体の長時間の発電等により燃料処理装置が劣化するため、例えば、改質器に軽微な漏洩が発生することにより、燃料処理装置に漏洩が発生する場合がある。この場合において、燃料処理装置の温度が低下している途中には、燃料処理装置の温度の低下による燃料処理装置内の圧力の低下と燃料処理装置の漏洩による燃料処理装置内の圧力の低下とを判別することはできない。そのため、定期点検時等の特別な機会に燃料処理装置の漏洩を検査する必要があり、余分なコストがかかる。
【０００６】
そこで、本発明が解決しようとする課題は、燃料処理装置の温度が低下している途中に、燃料処理装置の漏洩を判定することである。
【課題を解決するための手段】
【０００７】
上述の課題を達成するため、本発明に係る燃料電池発電システムは、原燃料ガスを取り入れて水素の含有率を高めた改質燃料ガスを発生させる改質器を含む燃料処理装置と、前記改質燃料ガスおよび酸化剤ガスを取り入れてそれらの電気化学反応により電気エネルギを発生させる燃料電池本体と、前記燃料処理装置に前記原燃料ガスを供給する原燃料ガス供給配管と、前記燃料処理装置より下流側を閉塞させる出口閉塞部と、前記燃料処理装置内の圧力を検出する圧力検出器と、前記燃料処理装置の温度を検出する温度検出器と、前記出口閉塞部が閉塞しているときに、前記圧力検出器の出力が所定の領域内に入るように前記燃料処理装置に供給される前記原燃料ガスの流れを制御する供給ガス流れ制御部と、所定時間内に前記燃料処理装置に供給される前記原燃料ガスの量および前記温度検出器の出力に基づいて、前記燃料処理装置の漏洩を判定する漏洩判定部と、を備えることを特徴とする。
【０００８】
また、本発明に係る燃料電池発電システム漏洩検出方法は、原燃料ガスを取り入れて水素の含有率を高めた改質燃料ガスを発生させる改質器を含む燃料処理装置と、前記改質燃料ガスおよび酸化剤ガスを取り入れてそれらの電気化学反応により電気エネルギを発生させる燃料電池本体と、を有する燃料電池発電システムの漏洩検出方法であって、前記燃料処理装置より下流側を閉塞させる出口閉塞ステップと、前記出口閉塞ステップの後に、前記燃料処理装置内の圧力が所定の領域内に入るように前記燃料処理装置に供給される前記原燃料ガスの流れを制御する供給ガス流れ制御ステップと、前記供給ガス流れ制御ステップを継続しているときに、所定時間内に前記燃料処理装置に供給される前記原燃料ガスの量および前記燃料処理装置の温度に基づいて、前記燃料処理装置の漏洩を判定する漏洩判定ステップと、を備えることを特徴とする。
【発明の効果】
【０００９】
本発明によれば、燃料処理装置の温度が低下している途中に、燃料処理装置の漏洩を判定することができる。
【図面の簡単な説明】
【００１０】
【図１】本発明に係る燃料電池発電システムの第１の実施形態の全体構成を示すブロック図である。
【図２】本発明に係る燃料電池発電システムの第１の実施形態において、燃料電池本体が発電を停止した後、出口閉塞部が閉塞している場合に、改質器の温度が低下している途中の時間と改質器内の圧力との関係を模式的に示すグラフである。
【図３】本発明に係る燃料電池発電システムの第２の実施形態の全体構成を示すブロック図である。
【図４】本発明に係る燃料電池発電システムの第３の実施形態の全体構成を示すブロック図である。
【発明を実施するための形態】
【００１１】
以下、本発明に係る燃料電池発電システムの実施形態について、図面を参照して説明する。
【００１２】
［第１の実施形態］
図１は本発明に係る燃料電池発電システムの第１の実施形態の全体構成を示すブロック図である。
【００１３】
図１において、燃料電池発電システムは、原燃料ガスを取り入れて水素の含有率を高めた改質燃料ガスを発生させる改質器１０を含む燃料処理装置１１と、改質燃料ガスおよび酸化剤ガスを取り入れてそれらの電気化学反応により電気エネルギを発生させる燃料電池本体１２とを備える。また、燃料処理装置１１は、硫黄を除去する脱硫器１３と、ＣＯを除去するＣＯ変成器１４およびＣＯ除去器２６とを含んでいる。
【００１４】
また、燃料電池発電システムは、さらに、原燃料ガス供給源から供給された原燃料ガスを燃料処理装置１１に供給する原燃料ガス供給配管１５と、原燃料ガス供給配管１５に設けられた原燃料ガス供給遮断弁１６と、改質器１０に設けられ改質器１０内の圧力を検出する圧力検出器１７と、改質器１０に設けられ改質器１０の温度を検出する温度検出器１８と、燃料処理装置１１と燃料電池本体１２の間の配管に設けられた出口閉塞部１９と、この燃料電池発電システムを制御する制御装置２０とを備える。制御装置２０は、後述する供給ガス流れ制御部２１と漏洩判定部２２とを含んでいる。出口閉塞部１９は、例えば出口遮断弁である。また、原燃料ガスは、例えば、都市ガスや液化石油ガス（ＬＰＧ）等である。
【００１５】
燃料電池本体１２が発電を停止した後、改質器１０の温度が低下している途中で、改質器１０内の圧力が外気の圧力より低くなって改質器１０内へ水等が侵入するおそれがある。それを防ぐため、原燃料ガスを燃料処理装置１１に供給することにより、改質器１０内の圧力を外気の圧力より高くする。
【００１６】
その制御方法としては、出口閉塞部１９を閉塞した後、供給ガス流れ制御部２１は、圧力検出器１７の出力が所定の領域内に入るように、燃料処理装置１１に供給される原燃料ガスの流れを制御する。また、漏洩判定部２２は、所定時間内に燃料処理装置１１に供給される原燃料ガスの量および温度検出器１８の出力に基づいて、燃料処理装置１１の漏洩を判定する。
【００１７】
図２は、本発明に係る燃料電池発電システムの第１の実施形態において、燃料電池本体１２が発電を停止した後、出口閉塞部１９が閉塞している場合に、改質器１０の温度が低下している途中の時間と改質器１０内の圧力との関係を模式的に示すグラフである。
【００１８】
燃料電池本体１２が発電を停止した後、改質器１０の温度が低下している途中において、出口閉塞部１９が閉塞しているときに、供給ガス流れ制御部２１は、圧力検出器１７の出力から得られた改質器１０内の圧力が圧力Ｐ１よりも高くなったときに原燃料ガス供給遮断弁１６を閉じ、圧力検出器１７の出力から得られた改質器１０内の圧力が圧力Ｐ２よりも低くなったときに原燃料ガス供給遮断弁１６を開くように制御することにより、燃料処理装置１１に供給される原燃料ガスの流れを制御する。ここで、圧力Ｐ２は圧力Ｐ１よりも低く大気圧よりも高いものとする。
【００１９】
燃料処理装置１１の漏洩がない場合の改質器１０内の圧力の時間に対する変化を示すのが図２の実線４０である。
【００２０】
原燃料ガス供給遮断弁１６が閉じているとき、改質器１０の温度の低下により改質器１０内の圧力が圧力Ｐ１から圧力Ｐ２まで低下する。その状況を示すのが図２の実線４０の右下がりの部分４０ａである。
【００２１】
改質器１０内の圧力が圧力Ｐ２まで低下すると、供給ガス流れ制御部２１は原燃料ガス供給遮断弁１６を開く。このときは、原燃料ガスの燃料処理装置１１への供給により改質器１０内の圧力が圧力Ｐ２から圧力Ｐ１まで上昇する。その状況を示すのが図２の実線４０の右上がりの部分４０ｂである。
【００２２】
改質器１０内の圧力が圧力Ｐ１まで上昇すると、供給ガス流れ制御部２１は原燃料ガス供給遮断弁１６を閉じる。以降、同様の制御を繰り返す。
【００２３】
改質器１０の漏洩がない場合（図２の実線４０）において、燃料電池本体１２が発電を停止してからの時間が長くなるにつれて、改質器１０の温度と外気との差が小さくなり、単位時間当たりの放熱量が低下するため、改質器１０内の圧力の低下速度が遅くなる。そのため、原燃料ガス供給遮断弁１６が閉じている場合において、改質器１０の温度が高いときに、改質器１０内の圧力が圧力Ｐ１から圧力Ｐ２まで低下する時間は、改質器１０の温度が低いときのそれと比べて短くなる。その結果、改質器１０の温度が高いほど、原燃料ガス供給遮断弁１６の開閉頻度は多くなる。
【００２４】
第１の実施形態では、供給ガス流れ制御部２１から出力される原燃料ガス供給遮断弁１６の開閉信号が漏洩判定部２２に入力される。ここで、開閉信号は、原燃料ガス供給遮断弁１６の開閉動作を一回行ったという情報の信号である。ここでいう開閉動作は、開動作、閉動作、開動作および閉動作のいずれでもよい。
【００２５】
ここで、何らかの原因で改質器１０が漏洩することを想定する。改質器１０に漏洩がある場合の改質器１０内の圧力の時間に対する変化を示すのが図２の点線４１である。
【００２６】
原燃料ガス供給遮断弁１６が閉じているときは、改質器１０の温度の低下と改質器１０の漏洩との両方の効果により改質器１０内の圧力が圧力Ｐ１から圧力Ｐ２まで低下する。その状況を示すのが図２の点線４１の右下がりの部分４１ａである。このときは、改質器１０内の圧力の低下速度は、改質器１０の漏洩がない場合と比べて速くなり、改質器１０内の圧力が圧力Ｐ１から圧力Ｐ２まで低下する時間は短くなる。
【００２７】
一方、原燃料ガス供給遮断弁１６が開いているときは、原燃料ガスの燃料処理装置１１への供給により改質器１０内の圧力が圧力Ｐ２から圧力Ｐ１まで上昇する。その状況を示すのが図２の点線４１の右上がりの部分４１ｂである。
【００２８】
厳密には、この圧力上昇過程においても、改質器１０の漏洩による圧力低下の効果があるため、改質器１０の漏洩がある場合に、改質器１０内の圧力が圧力Ｐ２から圧力Ｐ１まで上昇する時間は改質器１０の漏洩がない場合のそれに比べてわずかに長くなる。しかし、改質器１０内の圧力が圧力Ｐ２から圧力Ｐ１まで上昇する時間は、改質器１０内の圧力が圧力Ｐ１から圧力Ｐ２まで低下する時間に比べて小さいため、圧力上昇時間（原燃料ガス供給遮断弁１６が開いている時間）が改質器１０の漏洩がない場合のそれと比べて長くなることによる原燃料ガス供給遮断弁１６の開閉頻度への影響は小さい。その結果、改質器１０の漏洩がある場合の原燃料ガス供給遮断弁１６の開閉頻度は、改質器１０の漏洩がない場合のそれと比べて多くなる。
【００２９】
漏洩判定部２２には、原燃料ガス供給遮断弁１６の基準開閉頻度が設定されている。基準開閉頻度は、改質器１０の漏洩がない場合における開閉頻度であって、改質器１０の温度の関数である。具体的には、改質器１０の温度が低いほど、原燃料ガス供給遮断弁１６の基準開閉頻度が少なくなる。
【００３０】
上記の制御を繰り返しているときに、漏洩判定部２２は、供給ガス流れ制御部２１から出力される原燃料ガス供給遮断弁１６の開閉信号から開閉頻度を求め、この開閉頻度と温度検出器１８の出力における原燃料ガス供給遮断弁１６の基準開閉頻度とを比較することにより、改質器１０の漏洩を判定する。ここで、原燃料ガス供給遮断弁１６の開閉頻度は、所定時間内に燃料処理装置１１に供給される原燃料ガスの量に対応している。
【００３１】
第１の実施形態によれば、改質器１０の温度が低下している途中に、改質器１０の漏洩による改質器１０内の圧力の低下を改質器１０の温度の低下による改質器１０内の圧力の低下と区別して、改質器１０の漏洩を判定することができる。
【００３２】
［第２の実施形態］
図３は本発明に係る燃料電池発電システムの第２の実施形態の全体構成を示すブロック図である。
【００３３】
第２の実施形態では、第１の実施形態の燃料電池発電システムにおける原燃料ガス供給遮断弁１６（図１）が原燃料ガス供給流量調節弁２４に代わっている。また、原燃料ガス供給配管１５に燃料処理装置１１に供給される原燃料ガスの流量を検出する流量検出器２３が設けられている。
【００３４】
供給ガス流れ制御部２１は、出口閉塞部１９が閉塞しているときに、圧力検出器１７の出力が所定の領域内に入るように原燃料ガス供給流量調節弁２４の開度を調節することにより、燃料処理装置１１に供給される原燃料ガスの流量を調節する。
【００３５】
また、第２の実施形態では、漏洩判定部２２に供給ガス流れ制御部２１から出力される原燃料ガス供給遮断弁１６の開閉信号を入力する代わりに、流量検出器２３の出力を入力する。
【００３６】
漏洩判定部２２には、燃料処理装置１１に供給される基準量が設定されている。基準量は、改質器１０内の漏れがない場合における量であって、改質器１０の温度の関数である。
【００３７】
上記の制御を継続しているときに、漏洩判定部２２は、流量検出器２３の出力から所定時間内に燃料処理装置１１に供給される原燃料ガスの量を求め、この所定時間内に燃料処理装置１１に供給される原燃料ガスの量と温度検出器１８の出力における燃料処理装置１１に供給される原燃料ガスの基準量とを比較することにより、改質器１０の漏洩を判定する。
【００３８】
第２の実施形態によれば、第１の実施形態と同様の効果に加え、改質器１０内の圧力の変動を小さくすることができる。
【００３９】
［第３の実施形態］
図４は本発明に係る燃料電池発電システムの第３の実施形態の全体構成を示すブロック図である。
【００４０】
第３の実施形態では、第２の実施形態の燃料電池発電システムにおける原燃料ガス供給流量調節弁２４（図３）に代わり、送風機２５が設けられている。
【００４１】
供給ガス流れ制御部２１は、出口閉塞部１９が閉塞しているときに、圧力検出器１７の出力が所定の領域内に入るように送風機２５の回転数を調節することにより、燃料処理装置１１に供給される原燃料ガスの流量を調節する。
【００４２】
第２の実施形態と同様に、漏洩判定部２２に流量検出器２３の出力を入力する。漏洩判定部２２には、燃料処理装置１１に供給される原燃料ガスの基準量が設定されている。
【００４３】
また、上記の制御を継続しているときに、第２の実施形態と同様に、漏洩判定部２２は、流量検出器２３の出力から所定時間内に燃料処理装置１１に供給される原燃料ガスの量を求め、この所定時間内に燃料処理装置１１に供給される原燃料ガスの量と温度検出器１８の出力における燃料処理装置１１に供給される原燃料ガスの基準量とを比較することにより、改質器１０の漏洩を判定する。
【００４４】
第３の実施形態によれば、第２の実施形態と同様の効果を得ることができる。
【００４５】
［他の実施形態］
上記の実施形態は、単なる例示であって、本発明はこれらに限定されるものではない。
【００４６】
例えば、上記の実施形態では、温度検出器１８の出力そのものに基づいて改質器１０の漏洩を判定するとしたが、温度検出器１８の出力そのものの代わりに、温度検出器１８の出力から得られた改質器１０の温度の下降速度に基づいて、改質器１０の漏洩を判定することができる。また、温度検出器１８の出力から得られた改質器１０の温度と外気の温度との差に基づいてもよい。これらの場合は、改質器１０からの放熱の効果を正確に加味することができる。
【００４７】
また、第２および第３の実施形態において、燃料電池発電システムは流量検出器２３を備えてなくてもよい。
【００４８】
第２の実施形態については、漏洩判定部２２に流量検出器２３の出力を入力する代わりに、供給ガス流れ制御部２１から出力される原燃料ガス供給流量調節弁２４の開度を入力する。漏洩判定部２２には、燃料処理装置１１に供給される原燃料ガスの基準量が設定されている。第２の実施形態における制御を継続しているときに、漏洩判定部２２は、供給ガス流れ制御部２１から出力される原燃料ガス供給流量調節弁２４の開度から所定時間内に燃料処理装置１１に供給される原燃料ガスの量を求め、この所定時間内に燃料処理装置１１に供給される原燃料ガスの量と温度検出器１８の出力における燃料処理装置１１に供給される基準量とを比較することにより、改質器１０の漏洩を判定する。
【００４９】
同様に、第３の実施形態の場合については、漏洩判定部２２に流量検出器２３の出力を入力する代わりに、供給ガス流れ制御部２１から出力される送風機２５の回転数を入力する。漏洩判定部２２には、燃料処理装置１１に供給される原燃料ガスの基準量が設定されている。第３の実施形態における制御を継続しているときに、漏洩判定部２２は、供給ガス流れ制御部２１から出力された送風機２５の回転数から所定時間内に燃料処理装置１１に供給される原燃料ガスの量を求め、この所定時間内に燃料処理装置１１に供給される原燃料ガスの量と温度検出器１８の出力における燃料処理装置１１に供給される基準量とを比較することにより、改質器１０の漏洩を判定する。
【００５０】
上記の実施形態では、圧力検出器１７は、改質器１０内の圧力を検出しているが、燃料処理装置１１内のその他の圧力を検出してもよい。温度検出器１８についても同様である。
【００５１】
また、出口閉塞部１９を燃料処理装置１１と燃料電池本体１２との間の配管に設けているが、燃料電池本体１２より下流側に設けてもよい。
【００５２】
また、上記の実施形態では、出口閉塞部１９として出口遮断弁を用いているが、特許文献２に示す水封を用いてもよい。
【符号の説明】
【００５３】
１０  …  改質器
１１  …  燃料処理装置
１２  …  燃料電池本体
１３  …  脱硫器
１４  …  ＣＯ変成器
１５  …  原燃料ガス供給配管
１６  …  原燃料ガス供給遮断弁
１７  …  圧力検出器
１８  …  温度検出器
１９  …  出口閉塞部
２０  …  制御装置
２１  …  供給ガス流れ制御部
２２  …  漏洩判定部
２３  …  流量検出器
２４  …  原燃料ガス供給流量調節弁
２５  …  送風機
２６  …  ＣＯ除去器
【図１】
2012119201.tif 000003
【図２】
2012119201.tif 000004
【図３】
2012119201.tif 000005
【図４】
2012119201.tif 000006